(57)【要約】【課題】ヘッドユニットの回動に起因するケーブルの損傷を抑制すること。【解決手段】用紙経路を搬送される用紙に対して記録動作をおこなうプリントヘッドを備えたヘッドユニットと、一端がヘッドユニットに設けられ、他端がプリンタ本体に設けられたケーブル５０６と、を備えたプリンタにおいて、ヘッドユニットを、用紙の搬送方向に交差する方向における一端側においてプリンタ本体に回動可能に連結し、ケーブル５０６を、ヘッドユニットから当該ヘッドユニットの回動中心軸上の近傍の位置を経由してプリンタ本体に引き回すとともに、引き回される途中の位置を当該回動中心軸上の近傍に位置付けた。【選択図】図８
2015193109.tif 000002
【特許請求の範囲】
【請求項１】
用紙経路を搬送される用紙に対して記録動作をおこなうプリントヘッドを備えたヘッドユニットと、
一端が前記ヘッドユニットに設けられ、他端がプリンタ本体に設けられて、当該プリントヘッドの動作にかかる制御信号にかかる電源の少なくとも一方を供給するケーブルと、
を備え、
前記ヘッドユニットは、前記用紙の搬送方向に交差する方向における一端側において前記プリンタ本体に回動可能に連結されており、
前記ケーブルは、前記ヘッドユニットから当該ヘッドユニットの回動中心軸上の位置を経由して前記プリンタ本体に引き回され、引き回される途中の位置が当該回動中心軸上の近傍に位置付けられていることを特徴とするプリンタ。
【請求項２】
前記ヘッドユニットは、前記用紙の搬送方向に交差する方向に沿って対向配置され、前記プリントヘッドと前記用紙との間に位置付けられるインクリボンを繰り出し自在かつ巻き取り自在に保持する軸部材を支持する一対のリボンフレームを備え、
前記リボンフレームのうち前記ヘッドユニットの回動中心側のリボンフレームに設けられて当該ヘッドユニットの回動中心軸上に位置付けられるケーブル支持部を備え、
前記ケーブルは、引き回される途中の位置が前記ケーブル支持部に固定されていることを特徴とする請求項１に記載のプリンタ。
【請求項３】
前記ケーブル支持部は、前記回動中心側のリボンフレームに一体に設けられていることを特徴とする請求項２に記載のプリンタ。
【発明の詳細な説明】
【技術分野】
【０００１】
この発明は、可動部に接続されるケーブルを備えたプリンタに関する。
【背景技術】
【０００２】
従来、記録対象とする用紙を搬送する搬送経路を間にして対向配置されたプリントヘッドとプラテンとを備えたプリンタにおいては、たとえば、用紙の交換時などに、プリントヘッドとプラテンとを離間させることを可能に構成したものがあった。このようなプリンタにおいては、プリントヘッドを含むヘッドユニットをプリンタ本体に対して回動可能に連結し、プリンタ本体に対してヘッドユニットを回動させることによって、プリントヘッドに接続されたケーブルの着脱をおこなうことなく、プリントヘッドとプラテンとを離間させることができるように構成したものがあった（たとえば、下記特許文献１を参照。）。
【先行技術文献】
【特許文献】
【０００３】
【特許文献１】特開２０１２−１７１１１４号公報
【発明の概要】
【発明が解決しようとする課題】
【０００４】
しかしながら、上述した従来の技術は、ヘッドユニットを回動させる際に、プリントヘッドに接続されたケーブルが引っ張られたり周囲の部材に擦れたりして、ケーブルが損傷しやすくなるという問題があった。また、上述した従来の技術は、ヘッドユニットを回動させる際に、プリントヘッドに接続されたケーブルが引っ張られることにより、ケーブルの先端に設けられたコネクタや、当該コネクタに接続される別のコネクタが劣化したり損傷したりしやすくなるという問題があった。
【０００５】
この発明は、上述した従来技術による問題点を解消するため、ヘッドユニットの回動に起因してケーブルが損傷することを抑制できるプリンタを提供することを目的とする。
【０００６】
また、この発明は、上述した従来技術による問題点を解消するため、ヘッドユニットの回動に起因して、ケーブルの先端に設けられたコネクタや、当該コネクタに接続される別のコネクタが劣化したり損傷したりすることを抑制できるプリンタを提供することを目的とする。
【課題を解決するための手段】
【０００７】
上述した課題を解決し、目的を達成するため、この発明にかかるプリンタは、用紙経路を搬送される用紙に対して記録動作をおこなうプリントヘッドを備えたヘッドユニットと、一端が前記ヘッドユニットに設けられ、他端がプリンタ本体に設けられて、当該プリントヘッドの動作にかかる制御信号にかかる電源の少なくとも一方を供給するケーブルと、を備え、前記ヘッドユニットは、前記用紙の搬送方向に交差する方向における一端側において前記プリンタ本体に回動可能に連結されており、前記ケーブルは、前記ヘッドユニットから当該ヘッドユニットの回動中心軸上の位置を経由して前記プリンタ本体に引き回され、引き回される途中の位置が当該回動中心軸上の近傍に位置付けられていることを特徴とする。
【０００８】
また、この発明にかかるプリンタは、上記の発明において、前記ヘッドユニットが、前記用紙の搬送方向に交差する方向に沿って対向配置され、前記プリントヘッドと前記用紙との間に位置付けられるインクリボンを繰り出し自在かつ巻き取り自在に保持する軸部材を支持する一対のリボンフレームを備え、前記リボンフレームのうち前記ヘッドユニットの回動中心側のリボンフレームに設けられて当該ヘッドユニットの回動中心軸上に位置付けられるケーブル支持部を備え、前記ケーブルが、引き回される途中の位置が前記ケーブル支持部に固定されていることを特徴とする。
【０００９】
また、この発明にかかるプリンタは、上記の発明において、前記ケーブル支持部が、前記回動中心側のリボンフレームに一体に設けられていることを特徴とする。
【発明の効果】
【００１０】
この発明にかかるプリンタによれば、ヘッドユニットの回動に起因してケーブルが損傷することを抑制できるという効果を奏する。
【００１１】
また、この発明にかかるプリンタによれば、ヘッドユニットの回動に起因して、ケーブルの先端に設けられたコネクタや、当該コネクタに接続される別のコネクタが劣化したり損傷したりすることを抑制できるという効果を奏する。
【図面の簡単な説明】
【００１２】
【図１】この発明にかかる実施の形態のプリンタの外観を示す説明図である。
【図２】ハウジングを開放した状態のプリンタを示す説明図（その１）である。
【図３】ハウジングを開放した状態のプリンタを示す説明図（その２）である。
【図４】ヘッドユニットおよびプリンタ本体を示す側面図（その１）である。
【図５】ヘッドユニットおよびプリンタ本体を示す側面図（その２）である。
【図６】ヘッドユニットおよびプリンタ本体を示す斜視図である。
【図７】ヘッドユニットおよびプリンタ本体を示す説明図（その１）である。
【図８】ヘッドユニットおよびプリンタ本体を示す説明図（その２）である。
【発明を実施するための形態】
【００１３】
以下に添付図面を参照して、この発明にかかるプリンタの好適な実施の形態を詳細に説明する。
【００１４】
まず、この発明にかかる実施の形態のプリンタの構成について説明する。図１は、この発明にかかる実施の形態のプリンタの外観を示す説明図である。図１においては、この発明にかかる実施の形態のプリンタを、設置状態における斜め上方から見た状態を示している。
【００１５】
図１において、この発明にかかる実施の形態のプリンタ１００は、中空の長方体形状をなすハウジング１０１を備えている。ハウジング１０１は、上面に開口を備えて略箱形形状をなす下側ハウジング１０１ａと、下側ハウジング１０１ａの開口を開放可能に閉塞する上側ハウジング１０１ｂと、を備えている。
【００１６】
上側ハウジング１０１ｂは、下面に開口を備え、当該開口を下側ハウジング１０１ａの開口に対向させた状態で下側ハウジング１０１ａの開口を閉塞する。上側ハウジング１０１ｂは、プリンタ１００の背面側（図１における紙面右側）において、下側ハウジング１０１ａに軸支されることにより、下側ハウジング１０１ａに対して回動可能に連結されている。
【００１７】
ハウジング１０１は、上側ハウジング１０１ｂにより下側ハウジング１０１ａの開口を閉塞した状態において、上側ハウジング１０１ｂと下側ハウジング１０１ａとの内側にプリンタ本体（図４および図５を参照）を収容する収容空間を形成する。また、ハウジング１０１は、上側ハウジング１０１ｂにより下側ハウジング１０１ａの開口を閉塞した状態において、ハウジング１０１の前面（図１における紙面左側）に、記録済みの記録媒体を排出する排出口１０２を形成する。排出口１０２は、上側ハウジング１０１ｂと下側ハウジング１０１ａとの境界部分に形成される。
【００１８】
ハウジング１０１の外表面において、当該ハウジング１０１（下側ハウジング１０１ａ）の前面には、操作パネル１０３が設けられている。操作パネル１０３は、各種の入力操作を受け付ける複数のボタン１０３ａと、プリンタ１００の状態などを表示する表示パネル１０３ｂと、を備えている。
【００１９】
表示パネル１０３ｂは、たとえば、プリンタ１００の電源が投入されて印刷待機状態になった場合や、プリンタ１００においてエラーが発生した場合、またはプリンタ１００が保持する用紙の残量が所定以下になった場合などに所定のメッセージを表示して、プリンタ１００の状態を報知する。表示パネル１０３ｂは、たとえば、液晶ディスプレイによって実現することができる。
【００２０】
図２および図３は、ハウジング１０１を開放した状態のプリンタ１００を示す説明図である。図２においては、ハウジング１０１の内側を外部に開放した状態のプリンタ１００を、当該プリンタ１００の前面に正対した状態で右側の上方となる位置から見た状態を示している。図３においては、当該プリンタ１００の前面に正対した状態で左側の上方となる位置から見た状態を示している。
【００２１】
図２および図３において、プリンタ１００は、ハウジング１０１内における背面側において、記録対象とする記録媒体（用紙）２０１を、ロール状に巻回された状態で保持する用紙保持部２０２を備えている。記録対象とする記録媒体（用紙）２０１は、ロール状に巻回された状態の連続紙であってもよく、台紙の長手方向に沿ってラベルが複数配列されたラベル用紙であってもよい。
【００２２】
プリンタ１００は、ハウジング１０１内において用紙保持部２０２より前面側に設けられたヘッドユニット２０３を備えている。ハウジング１０１の内側には、用紙保持部２０２からヘッドユニット２０３を経由して排出口１０２へ至る搬送経路が形成される。用紙保持部２０２が保持するロール状に巻回された状態の用紙２０１は、プリンタ１００における記録動作に際して、長さ方向における外周側の端部から引き出されて、ヘッドユニット２０３を経由して排出口１０２へ搬送される。
【００２３】
ヘッドユニット２０３は、プリントヘッド２０４を備えている。プリントヘッド２０４は、たとえば、サーマル方式の記録動作をおこなう。サーマル方式の記録動作をおこなうプリントヘッド２０４は、たとえばプリンタ１００の幅方向（用紙２０１の搬送方向に直交する方向）に沿ってライン状に配列された複数の発熱素子を備えている。
【００２４】
プリンタ１００は、サーマルヘッドにおける各発熱素子に対して選択的に通電し、各発熱素子を選択的に発熱させることによって記録動作をおこなう。ヘッドユニット２０３は、サーマル方式の記録に代えて、他の記録方式によって記録をおこなうプリントヘッド２０４を備えていてもよい。
【００２５】
ハウジング１０１内には、搬送経路（搬送経路中を搬送される用紙２０１）を間にしてプリントヘッド２０４に対向配置されたプラテン２０５が設けられている。プラテン２０５は、プリンタ１００の幅方向を軸心方向とする略円柱形状をなす。プラテン２０５は、記録動作に際してプリントヘッド２０４によって表面（記録面）側から押圧力が加えられる用紙２０１を裏面側から支持する。プリントヘッド２０４は、プラテン２０５に当接する方向に付勢されている。
【００２６】
プラテン２０５の軸の一端には、図示を省略するギア列を介してモータ（図５における符号５０７を参照）が取り付けられている。ギア列は、モータの駆動力が伝達されることによって回転する。プラテン２０５は、ギア列を構成するギアの回転にともなって回転する。プラテン２０５は、回転することによって、搬送経路中の用紙２０１を、用紙保持部２０２側から排出口１０２側へ搬送する。
【００２７】
また、ヘッドユニット２０３は、図示を省略するインクリボンを支持するリボンユニット２０６を備えている。リボンユニット２０６は、記録動作に供される前のインクリボンを支持するリボン支持軸２０７や、記録動作後のインクリボンを巻き取るリボン巻き取り軸２０８を備えている。また、リボンユニット２０６は、リボン支持軸２０７が支持するインクリボンを繰り出し、繰り出したインクリボンをリボン巻き取り軸２０８において巻き取るため、リボン巻き取り軸２０８を回転させるリボン軸駆動機構を備えている。
【００２８】
リボン軸駆動機構は、ケース２０９内に収容されており、モータ（図５における符号４０５を参照）や当該モータの駆動力をリボン巻き取り軸２０８に伝達する輪列（図示を省略する）、当該モータを駆動するリボン基板（図５における符号５４０を参照）などによって構成される。
【００２９】
図４および図５は、ヘッドユニット２０３およびプリンタ本体を示す側面図である。図６は、ヘッドユニット２０３およびプリンタ本体を示す斜視図である。図４においては、ハウジング１０１を取り外した状態のプリンタ本体を、図１における矢印Ａ方向に沿って見た状態を示している。図５においては、ハウジング１０１を取り外した状態のプリンタ本体を、図１における矢印Ｂ方向に沿って見た状態を示している。図６においては、ヘッドユニット２０３およびプリンタ本体を、プリンタ本体の背面側上方から見た状態を示している。図４、図５および図６においては、リボンユニット２０６におけるケース２０９を取り外した状態を示している。
【００３０】
図４、図５および図６において、プリンタ本体４００は、ハウジング１０１内に設けられるボトムフレーム４０１を備えている。ボトムフレーム４０１は、所定厚さの金属製の板状部材を板金加工することによって形成されている。ボトムフレーム４０１には、一対のフレームを実現する、一対のシャフトペーパーガイド４０２、５０１が設けられている。
【００３１】
一対のシャフトペーパーガイド４０２、５０１は、ハウジング１０１内において、用紙保持部２０２の位置に設けられている。一対のシャフトペーパーガイド４０２、５０１は、プリンタ１００の幅方向に沿って対向配置されている。一対のシャフトペーパーガイド４０２、５０１は、用紙保持部２０２がロール状に巻回された状態の用紙２０１を保持している場合に、当該ロール状に巻回された状態の用紙２０１を間にして対向するように配置されている。
【００３２】
一対のシャフトペーパーガイド４０２、５０１の上端には、それぞれ、切り欠き部４０２ａ、５０１ａが設けられている。切り欠き部４０２ａ、５０１ａは、上側（図４および図５における紙面上側の部分）が開放された矩形状をなしている。切り欠き部４０２ａ、５０１ａは、用紙保持部２０２に収容されているロール状に巻回された状態の用紙２０１を、当該用紙保持部２０２から引き出し可能に保持するシャフト４０３を支持する。
【００３３】
シャフト４０３は、断面が多角形状（たとえば四角形状）をなす、棒状の部材によって実現することができる。シャフト４０３は、たとえばプラスチック材料などの絶縁材料を用いて形成されている。切り欠き部４０２ａ、５０１ａは、一対のシャフトペーパーガイド４０２、５０１の上端部分の一部を、シャフト４０３の断面の外形状と略一致する大きさおよび形状で切り欠くことによって形成されている。
【００３４】
シャフト４０３は、一対のシャフトペーパーガイド４０２、５０１のそれぞれに設けられた切り欠き部４０２ａ、５０１ａに両端を嵌め込むことによって、当該一対のシャフトペーパーガイド４０２、５０１に支持されている。シャフト４０３は、用紙保持部２０２に対して取り外し可能に取り付けられる。シャフト４０３は、用紙２０１の交換時などに用紙保持部２０２から取り外される。
【００３５】
用紙保持部２０２は、ロール状に巻回された状態の用紙２０１の巻き芯の内側に挿入された状態のシャフト４０３を、一対のシャフトペーパーガイド４０２、５０１によって支持することにより、当該ロール状に巻回された長尺状の用紙２０１を、長さ方向における外周側の端部から引き出すことが可能な状態で保持する。シャフト４０３は、巻き芯の内側に挿入された状態であって、巻き芯に固定されていないため、用紙２０１の巻き芯をシャフト４０３周りに回転可能な状態で支持する。これにより、用紙２０１の巻き芯をシャフト４０３周りに回転させることにより、用紙保持部２０２に収容された用紙２０１を、長さ方向における外周側の端部から引き出すことができる。
【００３６】
一対のシャフトペーパーガイド４０２、５０１は、それぞれ、所定厚さの金属製の板状部材に対して板金加工を施すことによって形成されている。一対のシャフトペーパーガイド４０２、５０１を、それぞれ所定厚さの金属製の板状部材によって形成することにより、ロール状に巻回された状態の用紙２０１の重量が大きい大径ロール紙である場合にも、当該用紙２０１の巻き芯の内側に挿入されたシャフト４０３の両端を安定かつ確実に支持することができる。
【００３７】
一対のシャフトペーパーガイド４０２、５０１のうち、一方のシャフトペーパーガイド５０１には、ダンパー機構５０３が設けられている。ダンパー機構５０３は、搬送経路における用紙２０１に対して接離する方向に揺動可能なダンパーシャフト５０４を備えている。ダンパーシャフト５０４は、搬送経路中であって用紙保持部２０２とヘッドユニット２０３との間に位置付けられている。
【００３８】
ダンパーシャフト５０４は、プリンタ１００の幅方向を軸心方向とする、断面が円形の棒形状をなしている。ダンパーシャフト５０４の一端は、ダンパーアーム５０５の先端に取り付けられている。ダンパーアーム５０５は、一方のシャフトペーパーガイド５０１に連結された一端側を支点として、一方のシャフトペーパーガイド５０１がなす面に沿って回動可能に設けられている。ダンパーアーム５０５は、一端側を支点として回動することにより、他端側に設けられたダンパーシャフト５０４を搬送経路における用紙２０１に対して接離する方向に揺動させる。
【００３９】
ダンパー機構５０３は、ダンパーシャフト５０４が用紙２０１に当接する方向にダンパーアーム５０５を付勢する付勢部材（図示を省略する）を備えている。付勢部材は、たとえば、第１のスプリングと、第２のスプリング（いずれも図示を省略する）と、によって実現することができる。
【００４０】
第１のスプリングは、ダンパーシャフト５０４を図５における紙面上側から下側に圧縮される圧縮コイルバネによって実現することができる。また、第１のスプリングは、ダンパーアーム５０５が下側から上側に回動した場合に、当該ダンパーアーム５０５を上側から下側へ付勢する。
【００４１】
第２のスプリングは、ダンパーシャフト５０４を図５における紙面下側から上側に圧縮される圧縮コイルバネによって実現することができる。また、第２のスプリングは、ダンパーアーム５０５が上側から下側に回動した場合に、当該ダンパーアーム５０５を下側から上側へ付勢する。
【００４２】
用紙保持部２０２が保持する用紙２０１が、ロール状に巻回された状態で外周側となる面が記録面となるいわゆる外巻きの用紙である場合、当該用紙２０１は、搬送経路中において、ダンパーシャフト５０４に対して、図４および図５における紙面下側から用紙２０１に当接するように案内される。また、用紙保持部２０２が保持する用紙２０１が、ロール状に巻回された状態で内周側となる面が記録面となるいわゆる内巻きの用紙である場合、当該用紙２０１は、搬送経路において、ダンパーシャフト５０４に対して、図４および図５における紙面上側から用紙２０１に当接するように案内される。用紙２０１は、搬送経路において、用紙保持部２０２とヘッドユニット２０３との間でダンパーシャフト５０４に当接し、当接する位置において屈曲されるように案内される。
【００４３】
記録動作を開始するとき、記録動作をおこなっていない状態の用紙２０１にプラテン２０５の搬送力が加えられると、用紙保持部２０２においてロール状に巻回された状態の用紙２０１の自重による慣性力によって、用紙２０１はプラテン２０５と用紙保持部２０２との間で直線状に突っ張るように引っ張られる。すなわち、用紙保持部２０２においてロール状に巻回された状態の用紙２０１の自重により、停止した状態を維持しようとする慣性力が作用している状態の用紙２０１に対して、プラテン２０５による搬送力が加えられるため、用紙２０１に対して、瞬間的に、用紙保持部２０２側が停止しているにもかかわらずプラテン２０５側ほど排出口１０２に向かって搬送される力が加えられる。これにより、用紙２０１はプラテン２０５と用紙保持部２０２との間で直線状に突っ張るように引っ張られる。
【００４４】
ダンパー機構５０３は、ダンパーシャフト５０４が用紙２０１に当接する方向にダンパーアーム５０５を付勢する付勢部材を備えているため、用紙２０１が直線状に突っ張るように引っ張られると、当該用紙２０１に対してダンパーシャフト５０４を弾性的に当接させ、当該用紙２０１を屈曲させる方向に付勢する。これにより、外巻き用紙であるか内巻き用紙であるかにかかわらず、用紙２０１の突っ張りを緩衝し、用紙２０１にかかる衝撃（慣性力）をやわらげることができ、用紙２０１を精度よく搬送するとともに、用紙２０１の送り速度を一定にすることができる。
【００４５】
上記のリボンユニット２０６は、リボン支持軸２０７やリボン巻き取り軸２０８を支持する一対のリボンフレーム４０６（４０６ａ、４０６ｂ）を備えている。リボンフレーム４０６（４０６ａ、４０６ｂ）は、リボン支持軸２０７やリボン巻き取り軸２０８を、リボン支持軸２０７やリボン巻き取り軸２０８の軸心方向における両端位置において、リボン支持軸２０７やリボン巻き取り軸２０８が軸心周りに回動可能な状態で支持する。
【００４６】
プリンタ本体４００は、プリンタ１００が備える各部を駆動制御する電気系統部品を備えている。電気系統部品は、制御基板５１０、電源基板（図示を省略する）、インターフェイス基板（図示を省略する）、中継基板５３０、リボン基板５４０、各種のケーブルなどを含んでいる。
【００４７】
制御基板５１０は、シャフトペーパーガイド５０１の外側のボトムフレーム４０１に固定されたブラケット５２０に固定されて立設されている。制御基板５１０は、プリントヘッド２０４の通電制御、プラテン２０５を駆動するモータ５０７の駆動制御、リボン支持軸２０７、リボン巻き取り軸２０８を駆動するモータの駆動制御などをおこなうＣＰＵ、メモリなどを備えている。
【００４８】
制御基板５１０には、電源基板が接続されている。電源基板は、ヘッドユニット２０３の下方に配置されている。電源基板は、当該電源基板が備えるコネクタ６０２に接続されるケーブル（図示を省略する）を介して、制御基板５１０と接続されている。電源基板は、電源基板と制御基板５１０とを接続するケーブルを介して、制御基板５１０に電源を供給する。
【００４９】
インターフェイス基板は、コネクタ５１０ａを介して制御基板５１０に接続されている。インターフェイス基板は、外部機器と接続されるインターフェイスコネクタ６０３を備えている。インターフェイスコネクタ６０３は、下側ハウジング１０１ａに設けられた開口６０４を介して、ハウジング１０１ａの背面側から外部に露出した状態で取り付けられている。
【００５０】
中継基板５３０は、ヘッドユニット２０３と用紙保持部２０２の間の左側部に設けられている。中継基板５３０は、ボトムフレーム４０１に固定されたブラケット４０７の上に固定されている。中継基板５３０は、図示を省略するケーブルを介して制御基板５１０に接続されている。
【００５１】
リボン基板５４０は、一方のリボンフレーム４０６ａに取り付けられている。リボン基板５４０には、リボン支持軸２０７やリボン巻き取り軸２０８を駆動するモータ４０５や、リボン回転検出センサやリボンテンションセンサ（いずれも図示を省略する）などが接続されている。リボン基板５４０は、ケーブル５０６を介して中継基板５３０のコネクタ５３１に接続されている。
【００５２】
ケーブル５０６は、中継基板５３０とリボン基板５４０との間において、一方のリボンフレーム４０６ａに設けられたケーブル支持用部材６０７に固定されている。ケーブル支持用部材６０７は、一方のリボンフレーム４０６ａの下端から、プリンタ本体４００に対するヘッドユニット２０３の回動中心軸上あるいは当該回動中心軸上の近傍となる位置に突出するように設けられている。
【００５３】
プリンタ本体４００に対するヘッドユニット２０３の回動中心軸上あるいは当該回動中心軸上の近傍となる位置においてケーブル５０６を固定することにより、ヘッドユニット２０３の回動に起因してケーブル５０６が引っ張られたり擦れたりして損傷することを抑制することができる。ケーブル支持用部材６０７においては、ケーブル５０６のみにかかわらず、さらに、ヘッドユニット２０３に備えられるプリントヘッド２０４、用紙２０１の位置を検出するセンサなどの各種センサに対して給電し制御信号を出力する別のケーブルを固定してもよい。
【００５４】
リボン基板５４０は、制御基板５１０から供給される電源と制御基板５１０から出力される制御信号を、中継基板５３０を介して受け付けることによって、制御基板５１０によって駆動される。
【００５５】
ヘッドユニット２０３は、搬送経路中を搬送される用紙２０１の搬送方向に平行な方向（用紙２０１の長さ方向）を軸心方向とする軸（図示を省略する）を介して、プリンタ本体４００に回動可能に連結されている。プリンタ本体４００には、プリンタ本体４００に対してヘッドユニット２０３を固定した状態で、当該ヘッドユニット２０３をロックするロック機構（図示を省略する）が設けられている。また、プリンタ本体４００には、ロック機のロックを解除するロック解除レバー４０４が設けられている。ロック解除レバー４０４は、プリンタ本体４００に対して回動可能に連結されている。
【００５６】
ロック解除レバー４０４は、プリンタ１００の背面側から前面側へ向けて付勢されており、前面側に位置付けられている状態において、プリンタ本体４００に対してヘッドユニット２０３を固定した状態でロックする。ロック機構のロックは、ロック解除レバー４０４をプリンタ１００の前面側から背面側へ回動されることによって解除される。プリンタ１００においては、下側ハウジング１０１ａに対して上側ハウジング１０１ｂを回動させ、収容空間を外部に開放した状態において、プリンタ本体４００、ヘッドユニット２０３、ロック解除レバー４０４などへの操作が可能になる。
【００５７】
ヘッドユニット２０３における一対のリボンフレーム４０６は、リボン支持軸２０７やリボン巻き取り軸２０８の両端を、リボン支持軸２０７やリボン巻き取り軸２０８を回転可能な状態で支持する。一対のリボンフレーム４０６は、所定厚さの金属製の板状部材を板金加工することによって一体に形成されている。一対のリボンフレーム４０６のうち、一方のリボンフレーム４０６ａには、リボン巻き取り軸２０８を回転させるモータ４０５が設けられている。
【００５８】
ヘッドユニット２０３は、リボンフレーム４０６に固定された、連結用の脚部６０５を備えている。連結用の脚部６０５は、用紙２０１の長さ方向に沿って２箇所に設けられている。連結用の脚部６０５は、連結用の脚部６０５の先端において、ネジ６０６によりプリンタ本体４００に対して連結されている。ヘッドユニット２０３は、２箇所に設けられたネジ６０６の軸心を通る仮想的な軸心を中心として、当該軸心周りに回動可能に設けられている。ヘッドユニット２０３は、２箇所に設けられたネジ６０６の軸心を通る仮想的な軸心を中心として回動することにより、プラテン２０５に対してプリントヘッド２０４を離間させる方向に変位する。
【００５９】
２箇所に設けられたネジ６０６の軸心を通る仮想的な軸心（ヘッドユニット２０３の回転軸心）の延長上の近傍には、ケーブル支持部を実現するケーブル支持用部材６０７の先端部が設けられている。ケーブル支持用部材６０７は、略棒形状をなし、板金加工することによって形成されるリボンフレーム４０６と一体に形成されている。ケーブル支持用部材６０７は、一方のリボンフレーム４０６ａの下端から、下方へ延出している。ケーブル支持用部材６０７の先端部は、２箇所に設けられたネジ６０６の軸心を通る仮想的な軸心（ヘッドユニット２０３の回転軸心）の延長上、あるいは、当該延長線の近傍に位置付けられていればよい。
【００６０】
ケーブル支持用部材６０７の延出方向においてケーブル支持用部材６０７の先端部には、ケーブル支持用部材６０７の幅を部分的に小さくすることによって形成される凹部６０８が設けられている。凹部６０８は、２箇所に設けられたネジ６０６の軸心を通る仮想的な軸心の延長上の近傍に位置付けられている。
【００６１】
ケーブル５０６は、リボン基板に設けられたコネクタと嵌合するコネクタから、ケーブル支持用部材６０７の長さ方向に沿って凹部６０８に引き回され、凹部６０８の位置においてケーブル支持用部材６０７に固定され、凹部６０８から中継基板５３０へ引き回されている。ケーブル５０６は、たとえば、結束バンドによって凹部６０８に固定されている。この実施の形態においては、凹部６０８および凹部６０８を備えるケーブル支持用部材６０７によって、ケーブル支持部を実現することができる。
【００６２】
図７および図８は、ヘッドユニット２０３およびプリンタ本体４００を示す説明図である。図７においては、図５におけるＣ−Ｃ断面を示している。図８においては、図７に断面を示したプリンタ本体４００からヘッドユニット２０３を回動させた状態を示している。
【００６３】
図７および図８において、ヘッドユニット２０３は、プリントヘッド２０４とプラテン２０５とが対向する位置（図７を参照）と、プリントヘッド２０４がプラテン２０５から離間する位置（図８を参照）との間において回動可能とされている。２箇所に設けられたネジ６０６の軸心を通る仮想的な軸心を中心としてヘッドユニット２０３が回動すると、ケーブル５０６における先端部から凹部６０８に固定された部分までがヘッドユニット２０３に連れられて変位する。
【００６４】
ケーブル５０６において、先端部から凹部６０８に固定された部分は、リボンフレーム４０６に対する位置をほぼおなじ状態に維持したまま、ヘッドユニット２０３に連れられて変位する。これにより、ヘッドユニット２０３が回動してプリントヘッド２０４の下方を開放した状態においても、ヘッドユニット２０３が回動していない状態（プリント可能な状態）と同様に、ケーブル５０６が、リボンフレーム４０６ａに沿った状態を維持することができる。
【００６５】
ケーブル５０６において、凹部６０８に固定された部分からヘッドユニット２０３の下方に設けられた制御基板へ引き回された部分は、ヘッドユニット２０３が回動した場合にも、大きく変位しない。これにより、ケーブル５０６において、凹部６０８に固定された部分から中継基板５３０へ引き回された部分のプリンタ本体１１０に対する位置をほぼおなじ状態に維持したままとすることができる。
【００６６】
以上説明したように、この発明にかかる実施の形態のプリンタ１００は、用紙経路を搬送される用紙に対して記録動作をおこなうプリントヘッド２０４を備えたヘッドユニット２０３と、一端がヘッドユニット２０３に設けられ、他端がプリンタ本体４００に設けられて、プリントヘッド２０５の動作にかかる制御信号にかかる電源の少なくとも一方を供給するケーブル５０６と、を備えている。
【００６７】
そして、この実施の形態のプリンタ１００は、ヘッドユニット２０３が、用紙の搬送方向に交差する方向における一端側においてプリンタ本体４００に回動可能に連結されており、ケーブル５０６が、ヘッドユニット２０３から当該ヘッドユニット２０３の回動中心軸（２箇所に設けられたネジ６０６の軸心を通る仮想的な軸心）上の近傍の位置を経由してプリンタ本体４００に引き回され、引き回される途中の位置が当該回動中心軸上の近傍に位置付けられていることを特徴としている。
【００６８】
この発明にかかる実施の形態のプリンタ１００によれば、ヘッドユニット２０３からプリンタ本体４００に引き回されるケーブル５０６の途中の位置をヘッドユニット２０３の回動中心軸上の近傍の位置に位置付けることにより、ヘッドユニット２０３に対するケーブル５０６の位置を一定に維持することができる。
【００６９】
具体的には、ヘッドユニット２０３が回動してプリントヘッド２０５の下方を開放した状態においても、ヘッドユニット２０３が回動していない状態（プリント可能な状態）と同様に、ケーブル５０６が、ヘッドユニット２０３の回動中心側のリボンフレーム４０６ａに沿った状態を維持することができる。
【００７０】
これにより、ヘッドユニット２０３の回動に際してケーブル５０６が無理に引っ張られたり、伸縮したりすることを抑制し、ヘッドユニット２０３の回動に起因してケーブル５０６に負荷がかかることを抑制することができる。また、ヘッドユニット２０３の回動に際してのケーブル５０６の伸縮を抑制することができるので、ヘッドユニット２０３の回動に際してケーブル５０６が周囲の部材に擦れることを抑制し、ヘッドユニット２０３の回動に起因してケーブル５０６が損傷することを抑制できる。
【００７１】
また、この発明にかかる実施の形態のプリンタ１００は、ヘッドユニット２０３が、用紙２０１の搬送方向に交差する方向（プリンタ１００の幅方向）に沿って対向配置され、プリントヘッド２０４と用紙２０１との間に位置付けられるインクリボン（図示を省略する）を繰り出し自在かつ巻き取り自在に保持する軸部材としてのリボン支持軸２０７やリボン巻き取り軸２０８を支持する一対のリボンフレーム４０６を備え、一対のリボンフレーム４０６のうちヘッドユニット２０３の回動中心側のリボンフレーム４０６ａに設けられて、当該ヘッドユニット２０３の回動中心軸上の近傍に位置付けられるケーブル支持部を実現するケーブル支持用部材６０７を備え、ケーブル５０６が、引き回される途中の位置が、ケーブル支持用部材６０７（ケーブル支持用部材６０７の先端部）に固定されていることを特徴としている。
【００７２】
この発明にかかる実施の形態のプリンタ１００によれば、ヘッドユニット２０３の回動にともなって変位するリボンフレーム４０６ａに設けられたケーブル支持用部材６０７にケーブル５０６の一部を固定することにより、ケーブルの姿勢をヘッドユニット２０３の回動に追従させやすくして、ヘッドユニット２０３の回動に際してケーブル５０６が無理に引っ張られたり、伸縮したりすることを抑制し、ヘッドユニット２０３の回動に起因してケーブル５０６に負荷がかかることを抑制することができる。
【００７３】
また、この発明にかかる実施の形態のプリンタ１００は、ケーブル支持用部材６０７が、回動中心側のリボンフレーム４０６ａに一体に設けられていることを特徴としている。この発明にかかる実施の形態のプリンタ１００によれば、ケーブル支持用部材６０７をリボンフレーム４０６に一体に設けることにより、部品点数の低減、および、部品点数の低減にともなうプリンタ１００の組み立て工数の低減を図ることができる。これにより、プリンタ１００にかかる製造コストの低減を図ることができる。
【産業上の利用可能性】
【００７４】
以上のように、この発明にかかるプリンタは、可動部に接続されるケーブルを備えたプリンタに有用であり、特に、回動することによって可動する可動部に接続されるケーブルを備えたプリンタに適している。
【符号の説明】
【００７５】
１００  プリンタ
２０３  ヘッドユニット
２０４  プリントヘッド
４００  プリンタ本体
４０６、４０６ａ、４０６ｂ  リボンフレーム
５０６  ケーブル
６０７  ケーブル支持用部材
６０８  凹部
【図１】
2015193109.tif 000003
【図２】
2015193109.tif 000004
【図３】
2015193109.tif 000005
【図４】
2015193109.tif 000006
【図５】
2015193109.tif 000007
【図６】
2015193109.tif 000008
【図７】
2015193109.tif 000009
【図８】
2015193109.tif 000010